(57)【要約】【課題】コンテンツに基づいて作成されたサムネイル画像を表示するとともに、サムネイル画像によるコンテンツのコピーを防止する。【解決手段】コンテンツに基づいて作成されたサムネイル画像を表示する映像表示装置の中央処理部は、映像記録再生装置から送信されたサムネイル画像を保存した時刻から所定の時間が経過した場合（Ｓ２１２にてＹＥＳ）、コピーネバーのコンテンツに対応する全てのサムネイル画像を削除するステップ（Ｓ２１４）と、サムネイル画像が表示されるコンテンツ選択画面を用いて、視聴されるコンテンツが選択された場合（Ｓ２１６にてＹＥＳ）、コピーネバーのコンテンツに対応する全てのサムネイル画像を削除するステップ（Ｓ２２０）とを含む、プログラムを実行する。【選択図】図６
2007020147.tif 000002
【特許請求の範囲】
【請求項１】
コンテンツに基づいて作成される画像を表示する映像表示装置であって、
前記コンテンツに基づいて前記画像を作成するための作成手段と、
前記画像を記憶するための記憶手段と、
記憶された画像が表示される表示部と、
前記記憶手段に記憶された画像を、前記コンテンツの使用条件を規定する情報に基づいて削除するための削除手段とを含む、映像表示装置。
【請求項２】
前記コンテンツの使用条件を規定する情報は、前記コンテンツのコピー許可回数である、請求項１に記載の映像表示装置。
【請求項３】
前記削除手段は、予め定められた条件が満たされた場合、コピー許可回数が予め定められた回数よりも少ないコンテンツに基づいて作成された画像を削除するための手段を含む、請求項２に記載の映像表示装置。
【請求項４】
前記予め定められた条件は、前記画像が記憶されてから予め定められた時間が経過したという条件である、請求項３に記載の映像表示装置。
【請求項５】
前記予め定められた条件は、前記コンテンツを視聴するために前記画像が選択されたという条件である、請求項３に記載の映像表示装置。
【請求項６】
前記予め定められた条件は、前記映像表示装置の電源がオフにされるという条件である、請求項３に記載の映像表示装置。
【請求項７】
前記映像表示装置は、コピー許可回数が予め定められた回数より多いコンテンツに基づいて作成された画像を削除しないように処理するための処理手段をさらに含む、請求項２〜６のいずれかに記載の映像表示装置。
【請求項８】
前記記憶手段は、揮発性メモリにより構成される、請求項１〜７のいずれかに記載の映像表示装置。
【請求項９】
前記映像表示装置は、前記表示部に送信されるデータを保存する揮発性の表示用メモリをさらに含み、
前記記憶手段は、前記表示用メモリにより構成される、請求項１〜７のいずれかに記載の映像表示装置。
【請求項１０】
前記映像表示装置は、前記コンテンツおよび前記コンテンツの使用条件を規定する情報を、前記映像表示装置とは異なる装置から取得するための手段をさらに含む、請求項１〜９のいずれかに記載の映像表示装置。
【請求項１１】
請求項１０に記載の映像表示装置と、
前記映像表示装置にネットワークを介して接続され、前記コンテンツおよび前記コンテンツの使用条件を規定する情報を前記映像表示装置に提供する提供装置とを含む、映像表示システム。
【発明の詳細な説明】
【技術分野】
【０００１】
本発明は、コンテンツに基づいて作成される画像をサムネイルとして表示する映像表示装置および映像表示システムに関し、特に、コピー回数に制限のあるコンテンツに基づいて作成される画像をサムネイルとして表示する技術に関する。
【背景技術】
【０００２】
テレビ等の放送番組を録画しておき、ユーザの望む時間にタイムシフト視聴する機能を持った映像記録再生装置は従来から良く知られている。従来はＶＨＳ（Video Home System）等の磁気テープに記録するものが主流だったが、近年ＤＶＤ（Digital Versatile Disk）やハードディスク等のランダムアクセスが可能な記録媒体を用いた映像記録再生装置が主流になりつつある。これらは磁気テープに比べ高速大容量で高画質なため、１台の映像記録再生装置に大量のコンテンツを保存しておくことが可能である。従来のＶＨＳテープでは通常標準画質で約２時間なのに対し、たとえば２５０ＧＢ（ギガ・バイト：ギガは１０9）のハードディスクでは標準画質で約１００時間以上の録画が可能となる。すなわち、ＶＨＳテープ約５０本分以上が１台の映像記録再生装置に格納することが可能である。さらに近年、複数の映像記録再生装置と映像表示装置とで、たとえば家庭内においてネットワークを構築し、ネットワーク上の映像記録再生装置に記録されているコンテンツを、ネットワークを経由して映像表示装置に表示して視聴することが可能となってきている。ユーザはネットワーク上に存在する複数の映像記録再生装置を、映像表示装置から操作することが可能となってきている。しかし、このように大量のコンテンツが存在する場合、ユーザが所望のコンテンツを発見し選択するまでに非常に時間がかかってしまう。そこで、視聴可能なコンテンツの内容を把握可能な代表画像の一覧であるサムネイルを表示して、ユーザはそれを確認しながら所望のコンテンツを素早く発見、選択することができる技術が提案されている。通常このようなサムネイルは、あらかじめ元のコンテンツから縮小画像等を作成しておき、コンテンツとは別に保存しておくことで、表示の際、高速に表示することが可能である。
【０００３】
特開２０００−３５０１２４号公報（特許文献１）は、動画像信号を録画する際、動画像信号とともに動画像信号の内容を特定可能な縮小静止画像を記録媒体に記録することにより、縮小静止画像を記録媒体のインデックスとして利用できるようにした動画像記録再生装置を開示する。特許文献１に記載の動画像記録再生装置は、入力された動画像信号を記録媒体に録画する録画部と、動画像信号から所定のサンプリングレートで静止画像を抽出する抽出部と、抽出部が抽出した静止画像の画素値を用いて、静止画像の評価値を演算する演算部と、演算部が演算した評価値の極大値を検出する検出部と、検出部が検出した評価値の極大値に対応する静止画像を縮小して代表画像を生成する生成部と、生成部が生成した代表画像を記録媒体に記録する記録部と、記録部が記録した代表画像を記録媒体から読み出す読み出し部と、読み出し部が読み出した少なくとも１以上の代表画像を貼付して代表画像一覧を作成する作成部とを含む。
【０００４】
この公報に記載の動画像記録再生装置によれば、入力された動画像信号から所定のサンプリングレートで静止画像を抽出し、その静止画像の画素値を用いて静止画像の評価値を演算して、評価値の極大値に対応する静止画像を縮小し、代表画像として記録するようにしたので、テレビジョン番組を録画する際、その番組の内容を把握可能な代表画像を記録できるようにすることが可能となる。
【０００５】
ところで、デジタルデータの場合、劣化の無いコピーを大量に作ることができるため、近年におけるデジタルコンテンツの急速な普及から、著作権保護の重要性が高まっている。そのため、コンテンツのコピー制御が重要である。コンテンツのコピー制御情報としては、「何度でもコピー可能（コピーフリー）」、「１回だけコピー可能（コピーワンス）」、「コピー不可能（コピーネバー）」等の情報がコンテンツに埋め込まれた状態で配信される。これらのコピー制御情報は、コンテンツ毎にコンテンツホルダが自由に設定できる。これらのコピー制御情報が埋め込まれたコンテンツは、送信側と受信側が正しく認証を行なわないと再生できず、またデータは暗号化されて送られるので伝送路上の盗聴行為も困難である。このような著作権を保護するシステムには、ＤＴＣＰ−ＩＰ（Digital Transmission Content Protection over Internet Protocol）等がある。これはＩＰ（Internet Protocol）ネットワーク上でデジタルコンテンツを扱う際、機器の認証、鍵の交換、コンテンツの暗号化を行なうものである。このようなコピー制御においては、図２１に示すように、コピーワンスのコンテンツは映像記録再生装置に１度録画した時点でコピーネバーのコンテンツに変わり、これ以上別の映像記録再生装置にコピーすることは出来ない。このとき、コピーネバーのコンテンツに基づいて作成されたサムネイル画像をコンテンツの一部と考えるか否かが問題となる。サムネイル画像をコンテンツの一部と考えた場合、サムネイル画像の保存によりコンテンツのコピーが行なわれたと考えられ得る。そのため、コピー制御による制限を考慮してサムネイルを表示する必要がある。
【０００６】
特開２００２−１５２６６７号公報（特許文献２）は、一世代のみのコピーが許可されているソースを録画した場合に、コピー制限に触れずにサムネイル機能を実現する録画再生装置を開示する。特許文献２に記載の録画再生装置は、映像信号をコピー制御信号と共に映像データとして記録媒体に格納された映像データを再生する再生部と、映像データ内の指定された画像を縮小し、記録媒体に格納する格納部とを含む。コピー制御信号により一世代のみのコピーが許可されている映像に対しては、縮小画像の格納が禁止される。コピー制御信号により一世代のみのコピーが許可されている映像に対しては、映像内の指定された画像が格納されている位置を示す位置情報が記録媒体に格納される。
【０００７】
この公報に記載の録画再生装置によれば、「コピーフリー」のソースを録画した場合は、縮小画像を予め作成し、表示時にはそれを用いて高速に表示することができる。一方、「一世代コピー可」のソースを録画した場合、その縮小画像は作成（保存）しないことで、「コピー制限違反」となることを回避することができる。また、「一世代コピー可」のソースを録画した場合でも、映像の中でサムネイル画像となる元画像が保存されている位置を示すポインタを保存することで、サムネイル表示機能を実現することができる。
【特許文献１】特開２０００−３５０１２４号公報
【特許文献２】特開２００２−１５２６６７号公報
【発明の開示】
【発明が解決しようとする課題】
【０００８】
しかしながら、特開２０００−３５０１２４号公報においては、コピー制限に関しては何等考慮されていない。特開２００２−１５２６６７号公報に記載の録画再生装置においては、コピーワンスのコンテンツに対しては単にポインタを保存し、ポインタが示す位置の映像ファイル（元のコンテンツ）にアクセスして、コンテンツの元画像を表示するのみである。この場合、元画像の画素数やコンテンツ自体の数が多いと、それだけサムネイルを表示するために処理すべきデータ量が大きくなる。データ量が大きいと、サムネイルを表示するまでかかる時間が長くなりすぎたり、録画再生装置にかかる負担が大きくなりすぎたりする。したがって、たとえば画像を縮小してデータ量を小さくできるように、サムネイルに表示する画像はコンテンツに基づいて作成される画像であることが望ましい。
【０００９】
本発明は、上述の課題を解決するためになされたものであって、その目的は、コピー制限に対応しつつ、コンテンツに基づいて作成される画像を表示することができる映像表示装置および映像表示システムを提供することである。
【課題を解決するための手段】
【００１０】
第１の発明に係る映像表示装置は、コンテンツに基づいて作成される画像を表示する。この映像表示装置は、コンテンツに基づいて画像を作成するための作成手段と、画像を記憶するための記憶手段と、記憶された画像が表示される表示部と、記憶手段に記憶された画像を、コンテンツの使用条件を規定する情報に基づいて削除するための削除手段とを含む。
【００１１】
第１の発明によると、コンテンツに基づいて作成される画像が記憶され、記憶された画像が表示部に表示される。この画像は、コンテンツの使用条件を規定する情報に基づいて削除される。たとえば、画像が記憶されてから予め定められた時間が経過したという条件、コンテンツを視聴するために画像が選択されたという条件、映像表示装置の電源がオフにされるという条件が満たされた場合、コピー許可回数が予め定められた回数よりも少ないコンテンツに基づいて作成された画像が削除される。これにより、サムネイル画像をコンテンツの一部と考えた場合において、サムネイル画像の記憶という形でのコンテンツのコピーを防止することができる。そのため、サムネイル画像の作成によりコピー制限が問題になることを抑制することができる。その結果、コピー制限に対応しつつ、コンテンツに基づいて作成される画像を表示することができる映像表示装置を提供することができる。
【００１２】
第２の発明に係る映像表示装置においては、第１の発明の構成に加え、コンテンツの使用条件を規定する情報は、コンテンツのコピー許可回数である。
【００１３】
第２の発明によると、たとえば、画像が記憶されてから予め定められた時間が経過したという条件、コンテンツを視聴するために画像が選択されたという条件、映像表示装置の電源がオフにされるという条件が満たされた場合、コピー許可回数が予め定められた回数よりも少ないコンテンツに基づいて作成された画像が削除される。これにより、サムネイル画像をコンテンツの一部と考えた場合において、サムネイル画像の記憶という形でのコンテンツのコピーを防止することができる。そのため、サムネイル画像の作成によりコピー制限が問題になることを抑制することができる。その結果、コピー制限に対応しつつ、コンテンツに基づいて作成される画像を表示することができる。
【００１４】
第３の発明に係る映像表示装置においては、第２の発明の構成に加え、削除手段は、予め定められた条件が満たされた場合、コピー許可回数が予め定められた回数よりも少ないコンテンツに基づいて作成された画像を削除するための手段を含む。
【００１５】
第３の発明によると、たとえば、画像が記憶されてから予め定められた時間が経過したという条件、コンテンツを視聴するために画像が選択されたという条件、映像表示装置の電源がオフにされるという条件が満たされた場合、コピー許可回数がゼロであるコンテンツに基づいて作成された画像が削除される。これにより、サムネイル画像をコンテンツの一部と考えた場合において、サムネイル画像の記憶という形でのコンテンツのコピーを防止することができる。そのため、サムネイル画像の作成によりコピー制限が問題になることを抑制することができる。その結果、コピー制限に対応しつつ、コンテンツに基づいて作成される画像を表示することができる。
【００１６】
第４の発明に係る映像表示装置においては、第３の発明の構成に加え、予め定められた条件は、画像が記憶されてから予め定められた時間が経過したという条件である。
【００１７】
第４の発明によると、画像が記憶されてから予め定められた時間が経過したという条件が満たされた場合、たとえばコピー許可回数がゼロであるコンテンツに基づいて作成された画像が削除される。これにより、サムネイル画像をコンテンツの一部と考えた場合において、サムネイル画像の記憶という形でのコンテンツのコピーを防止することができる。そのため、サムネイル画像の作成によりコピー制限が問題になることを抑制することができる。その結果、コピー制限に対応しつつ、コンテンツに基づいて作成される画像を表示することができる。
【００１８】
第５の発明に係る映像表示装置においては、第３の発明の構成に加え、予め定められた条件は、コンテンツを視聴するために画像が選択されたという条件である。
【００１９】
第５の発明によると、コンテンツを視聴するために画像が選択されたという条件が満たされた場合、たとえばコピー許可回数がゼロであるコンテンツに基づいて作成された画像が削除される。これにより、サムネイル画像をコンテンツの一部と考えた場合において、サムネイル画像の記憶という形でのコンテンツのコピーを防止することができる。そのため、サムネイル画像の作成によりコピー制限が問題になることを抑制することができる。その結果、コピー制限に対応しつつ、コンテンツに基づいて作成される画像を表示することができる。
【００２０】
第６の発明に係る映像表示装置においては、第３の発明の構成に加え、予め定められた条件は、映像表示装置の電源がオフにされるという条件である。
【００２１】
第６の発明によると、映像表示装置の電源がオフにされるという条件が満たされた場合、たとえばコピー許可回数がゼロであるコンテンツに基づいて作成された画像が削除される。これにより、サムネイル画像をコンテンツの一部と考えた場合において、サムネイル画像の記憶という形でのコンテンツのコピーを防止することができる。そのため、サムネイル画像の作成によりコピー制限が問題になることを抑制することができる。その結果、コピー制限に対応しつつ、コンテンツに基づいて作成される画像を表示することができる。
【００２２】
第７の発明に係る映像表示装置は、第２〜６のいずれかの発明の構成に加え、コピー許可回数が予め定められた回数よりも多いコンテンツに基づいて作成された画像を削除しないように処理するための処理手段をさらに含む。
【００２３】
第７の発明によると、たとえばコピー許可回数が１回以上のコンテンツは、１回以上コピーしてもコピー制限が問題になることはないため、このようなコンテンツに基づいて作成された画像は削除されない。これにより、コピー制限に対応しつつ、コンテンツに基づいて作成される画像を表示することができる。
【００２４】
第８の発明に係る映像表示装置においては、第１〜７のいずれかの発明の構成に加え、記憶手段は、揮発性メモリにより構成される。
【００２５】
第８の発明によると、記憶手段は、揮発性メモリにより構成される。そのため、映像表示装置の電源がオフにされると、特別な処理を行なうことなく、画像が削除される。これにより、サムネイル画像をコンテンツの一部と考えた場合において、サムネイル画像の記憶という形でのコンテンツのコピーを防止することができる。そのため、サムネイル画像の作成によりコピー制限が問題になることを抑制することができる。その結果、コピー制限に対応しつつ、コンテンツに基づいて作成される画像を表示することができる。
【００２６】
第９の発明に係る映像表示装置においては、第１〜７のいずれかの発明の構成に加え、映像表示装置は、表示部に送信されるデータを保存する揮発性の表示用メモリをさらに含む。記憶手段は、表示用メモリにより構成される。
【００２７】
第９の発明によると、表示部に送信されるデータを保存する揮発性の表示用メモリにより、記憶手段が構成される。そのため、映像表示装置の電源がオフにされると、特別な処理を行なうことなく、画像が削除される。これにより、サムネイル画像をコンテンツの一部と考えた場合において、サムネイル画像の記憶という形でのコンテンツのコピーを防止することができる。そのため、サムネイル画像の作成によりコピー制限が問題になることを抑制することができる。その結果、コピー制限に対応しつつ、コンテンツに基づいて作成される画像を表示することができる。
【００２８】
第１０の発明に係る映像表示装置は、第１〜９のいずれかの発明の構成に加え、コンテンツおよびコンテンツの使用条件を規定する情報を、映像表示装置とは異なる装置から取得するための手段をさらに含む。
【００２９】
第１０の発明によると、コンテンツおよびコンテンツの使用条件を規定する情報を外部の装置から取得して画像を作成する映像表示装置において、コピー制限に対応しつつ、コンテンツに基づいて作成される画像を表示することができる。
【００３０】
第１１の発明に係る映像表示システムは、第１０の発明の映像表示装置と、映像表示装置にネットワークを介して接続され、コンテンツおよびコンテンツの使用条件を規定する情報を映像表示装置に提供する提供装置とを含む。
【００３１】
第１１の発明によると、映像表示装置と、映像表示装置にネットワークを介して接続され、コンテンツおよびコンテンツの使用条件を規定する情報を映像表示装置に提供する提供装置とを含む映像表示システムにおいて、コピー制限に対応しつつ、コンテンツに基づいて作成される画像を表示することができる。
【発明を実施するための最良の形態】
【００３２】
以下、図面を参照しつつ、本発明の実施の形態について説明する。以下の説明では、同一の部品には同一の符号を付してある。それらの名称および機能も同一である。したがって、それらについての詳細な説明は繰返さない。
【００３３】
＜第１の実施の形態＞
図１を参照して、本実施の形態に係る映像表示システムについて説明する。映像表示システムに含まれる映像表示装置１００は、中央処理部１０２と、表示用メモリ１０４と、表示部１０６と、送受信処理部１０８と、記憶部１１０と、サムネイル記憶部１１２と、サムネイル制御部１１４と、暗号処理部１１６とを含む。
【００３４】
中央処理部１０２は、映像表示装置１００全体の制御を行なう。表示用メモリ１０４は、コンテンツ等を表示部１０６に表示するためのデータを保存して逐次表示部１０６に送り出す。
【００３５】
表示部１０６は、表示用メモリ１０４から送られてくるデータを表示する。表示部１０６は、たとえば液晶画面とその制御部等とから構成される。送受信処理部１０８は、映像表示装置１００の外部の装置との間で、種々の情報やコンテンツ等をやり取りする。
【００３６】
記憶部１１０は、コンテンツ等を格納しておく。サムネイル記憶部１１２は、サムネイルを格納する。サムネイル制御部１１４は、中央処理部１０２の管理の下でサムネイルをサムネイル記憶部１１２に格納したり、サムネイル記憶部１１２から削除したりする。暗号処理部１１６は、暗号化されて送信されたコンテンツやコンテンツ識別情報およびサムネイルなどを複号する。
【００３７】
図１に示す映像表示装置１００においては、サムネイル記憶部１１２がコンテンツ等を記憶する記憶部１１０や表示用メモリ１０４とは別のメモリから構成されているが、記憶部１１０とサムネイル記憶部１１２とで同じメモリの領域を使い分けて使用するようにしてもよい。また図２に示すように、表示用メモリ１０４の一部を使用して、サムネイル記憶部１１２を構成するようにしてもよい。
【００３８】
表示用メモリ１０４、記憶部１１０およびサムネイル記憶部１１２は、揮発性のメモリから構成される。そのため、映像表示装置１００の電源をオフにすると、表示用メモリ１０４、記憶部１１０およびサムネイル記憶部１１２に記憶されている内容が削除される。
【００３９】
図３を参照して、本実施の形態に係る映像表示システムについてさらに説明する。映像表示システムにおいては、ハードディスクレコーダ等の映像記録再生装置２００（送信側）が液晶テレビ等の映像表示装置１００（受信側）にＩＰ（Internet Protocol）等のネットワーク（たとえば家庭内におけるネットワーク）３００を介して接続されている。
【００４０】
本実施の形態に係る映像表示システムにおいては、著作権保護されたコンテンツを扱うため、装置間の接続に際してはＤＴＣＰ−ＩＰ等の機器認証が必要となる。そのため、映像表示装置１００と映像記録再生装置２００との間で機器の認証が行なわれる。映像表示装置１００と映像記録再生装置２００との間でやり取りされる著作権保護されたコンテンツは、暗号化されて送受信される。
【００４１】
映像記録再生装置２００は、サムネイルを作成して映像表示装置１００に送信する。映像表示装置１００は、コンテンツとサムネイルとを受信して表示する。映像記録再生装置２００から映像表示装置１００へは、ＭＰＥＧ２−ＴＳ（Moving Picture Experts Group 2-Transport Stream）の映像データが送信される。なお、送信される映像データのフォーマットはこれに限らない。
【００４２】
映像記録再生装置２００は、録画処理部２０２と、中央処理部２０４と、暗号処理部２０６と、送受信処理部２０８と、ディスク装置２１０と、サムネイル作成部２１２とを含む。
【００４３】
録画処理部２０２は、放送波等の映像データをディスク装置２１０に記憶する。コピーワンスのコンテンツを受信し録画した場合、このコンテンツは、これ以上別の装置にコピーできない状態でディスク装置２１０に記録される。すなわち、コピーワンスだったコンテンツは、コピーネバーのコンテンツとしてディスク装置２１０に記録される。
【００４４】
中央処理部２０４は、映像記録再生装置２００全体の制御を行なう。暗号処理部２０６は、コンテンツやコンテンツ識別情報およびサムネイルなどを暗号化する。送受信処理部２０８は、映像記録再生装置２００の外部の装置との間で、種々の情報やコンテンツ等をやり取りする。ディスク装置２１０は、複数の映像データ（コンテンツ）を記録する。
【００４５】
サムネイル作成部２１２は、ディスク装置２１０に記録してあるコンテンツのサムネイル画像を作成する。作成されるサムネイル画像は、そのコンテンツの特徴を示す代表画像の縮小画像や、コンテンツのタイトル、コンテンツの録画日時、コンテンツのコピー制御情報、コンテンツの再生時間等の全てまたは一部である。なお、コンテンツの代表画像の縮小画像は、ＭＰＥＧ２−ＴＳのデータの先頭の部分等のピクチャを縮小して作成するようにしてもよく、その他の方法で作成するようにしても良い。
【００４６】
図４を参照して、本実施の形態に係る映像表示システムにおいて映像記録再生装置２００の中央処理部２０４が実行するプログラムの制御構造について説明する。
【００４７】
ステップ（以下、ステップをＳと略す）１００にて、中央処理部２０４は、映像表示装置１００からのサムネイル要求信号を受信したか否かを判別する。映像表示装置１００からのサムネイル要求信号を受信した場合（Ｓ１００にてＹＥＳ）、処理はＳ１０２に移される。もしそうでないと（Ｓ１００にてＮＯ）、処理はＳ１００に戻される。
【００４８】
Ｓ１０２にて、中央処理部２０４は、ディスク装置２１０に記録してあるコンテンツのサムネイル画像を作成する。サムネイル画像は、サムネイル作成部２１２において作成される。Ｓ１０４にて、中央処理部２０４は、作成したサムネイル画像を、コンテンツの識別情報とともに映像表示装置１００に送信する。サムネイル画像およびコンテンツの識別情報は、暗号処理部２０６で暗号化されてから送受信処理部２０８を通して映像表示装置１００に送信される。
【００４９】
Ｓ１０６にて、中央処理部２０４は、他にもコンテンツがあるか否かを判別する。他にもコンテンツがある場合（Ｓ１０６にてＹＥＳ）、処理はＳ１０２に戻される。もしそうでないと（Ｓ１０６にてＮＯ）、処理はＳ１０８に移される。なお、コンテンツが複数ある場合においては、サムネイル画像を１回ずつ送信するようにしたり、複数同時に送信するようにしたりしても良い。
【００５０】
Ｓ１０８にて、中央処理部２０４は、映像表示装置１００からのコンテンツ再生要求信号を受信したか否かを判別する。映像表示装置１００からのコンテンツ再生要求信号を受信した場合（Ｓ１０８にてＹＥＳ）、処理はＳ１００に移される。もしそうでないと（Ｓ１０８にＮＯ）、処理はＳ１０８に戻される。
【００５１】
Ｓ１１０にて、中央処理部２０４は、コンテンツを映像表示装置１００に送信する。コンテンツは、暗号処理部２０６で暗号化され、送受信処理部２０８を通して映像表示装置１００に送信される。
【００５２】
図５および図６を参照して、本実施の形態に係る映像表示システムにおいて映像表示装置１００の中央処理部１０２が実行するプログラムの制御構造について説明する。
【００５３】
Ｓ２００にて、中央処理部１０２は、たとえばユーザの操作に基づいて、サムネイル要求信号を映像記録再生装置２００に送信する。サムネイル要求信号は、送受信処理部１０８を通して映像記録再生装置２００に送信される。
【００５４】
Ｓ２０２にて、中央処理部１０２は、映像記録再生装置２００からサムネイル画像およびコンテンツ識別情報を受信したか否かを判別する。サムネイル画像およびコンテンツ識別情報を受信した場合（Ｓ２０２にてＹＥＳ）、処理はＳ２０４に移される。もしそうでないと（Ｓ２０２にてＮＯ）、処理はＳ２０２に戻される。
【００５５】
Ｓ２０４にて、中央処理部１０２は、サムネイル画像を保存するとともに、コンテンツ識別情報を保存する。サムネイル画像は暗号処理部１１６において復号されてから、サムネイル記憶部１１２に保存される。コンテンツ識別情報は暗号処理部１１６において復号されてから、記憶部１１０に保存される。
【００５６】
Ｓ２０６にて、中央処理部１０２は、サムネイル画像を保存した時刻を記録する。サムネイル画像を保存した時刻は、サムネイル制御部１１４において記録される。
【００５７】
Ｓ２０８にて、中央処理部１０２は、他にもコンテンツがあるか否かを判別する。他にもコンテンツがある場合（Ｓ２０８にてＹＥＳ）、処理はＳ２０２に移される。もしそうでないと（Ｓ２０８にてＮＯ）、処理はＳ２１０に移される。
【００５８】
Ｓ２１０にて、中央処理部１０２は、サムネイル記憶部１１２に保存されているサムネイル画像と、記憶部１１０に保存されているコンテンツ識別情報を利用して、コンテンツ選択のためのＧＵＩ（Graphical User Interface）画面を作成し、ＧＵＩ画面をコンテンツ選択画面としての表示部１０６に表示する。
【００５９】
Ｓ２１２にて、中央処理部１０２は、サムネイル画像を保存した時刻から所定の時間が経過したか否かを判別する。サムネイル画像を保存した時刻から所定の時間が経過した場合（Ｓ２１２にてＹＥＳ）、処理はＳ２１４に移される。もしそうでないと（Ｓ２１２にてＮＯ）、処理はＳ２１６に移される。なお、所定の時間は装置やシステムによって予め適宜に定められた時間である。所定の時間をユーザによって変更できるようにしてもよい。
【００６０】
Ｓ２１４にて、中央処理部１０２は、コピーネバーのコンテンツ（コピー許可回数が１回よりも少ないコンテンツ）に対応する全てのサムネイル画像とコンテンツ選択のためのＧＵＩ画面を削除する。サムネイル画像とＧＵＩ画面の削除は、サムネイル制御部１１４において行なわれる。このとき、コピー許可回数が１回以上のコンテンツに対応するサムネイル画像は削除されない。
【００６１】
なお、コピーネバーのコンテンツ以外にも、コピー許可回数が所望の回数よりも少ないコンテンツに対応するサムネイル画像を削除し、所望の回数よりも多いコンテンツに対応するサムネイル画像を削除しないようにしてもよい。また、全てのサムネイル画像を削除するようにしてもよい。
【００６２】
Ｓ２１６にて、中央処理部１０２は、ユーザにより視聴されるコンテンツが選択されたか否かを判別する。ユーザは、図７に示すように、表示部１０６に表示されたコンテンツ選択画面を用いてコンテンツを選択する。なお、コンテンツの選択方法はこれに限らない。
【００６３】
本実施の形態におけるコンテンツ選択画面においては、６個のサムネイル画像とコンテンツの情報が表示される。なお、コンテンツ選択画面はこれに限らない。ユーザは、表示部１１０に表示されたサムネイル画像とタイトルや録画日時、コピー制限の有無等のコンテンツの特徴を示す情報を見ながら、カーソルを動かして、所望のコンテンツを選択する。
【００６４】
図６に戻って、コンテンツが選択された場合（Ｓ２１６にてＹＥＳ）、処理はＳ２１８に移される。もしそうでないと（Ｓ２１６にてＮＯ）、処理はＳ２１２に移される。Ｓ２１８にて、中央処理部１０２は、選択されたコンテンツの再生要求信号を映像記録再生装置２００に送信する。コンテンツの再生要求信号は、送受信処理部１０８を通って映像記録再生装置２００に送信される。
【００６５】
Ｓ２２０にて、中央処理部１０２は、サムネイル記憶部１１２に保存されているサムネイル画像のうち、コピーネバーのコンテンツに対応する全てのサムネイル画像およびコンテンツ選択のためのＧＵＩ画面を削除する。サムネイル画像およびＧＵＩ画面の削除は、サムネイル制御部１１４において行なわれる。このとき、コピー許可回数が１回以上のコンテンツに対応するサムネイル画像は削除されない。
【００６６】
なお、コピーネバーのコンテンツ以外にも、コピー許可回数が所望の回数よりも少ないコンテンツに対応するサムネイル画像を削除し、所望の回数よりも多いコンテンツに対応するサムネイル画像を削除しないようにしてもよい。また、全てのサムネイル画像を削除するようにしてもよい。
【００６７】
Ｓ２２２にて、中央処理部１０２は、映像記録再生装置２０２からコンテンツを受信したか否かを判別する。コンテンツを受信した場合（Ｓ２２２にてＹＥＳ）、処理はＳ２２４に移される。もしそうでないと（Ｓ２２２にてＮＯ）、処理はＳ２２２に戻される。
【００６８】
Ｓ２２４にて、中央処理部１０２は、受信したコンテンツを表示部１０６に表示する。コンテンツは、暗号処理部１１６で復号された後、表示部１０６に表示される。
【００６９】
以上のような構造およびフローチャートに基づく、本実施の形態に係る映像表示システムの動作について説明する。
【００７０】
ユーザの操作などが行なわれることにより、サムネイル要求信号が映像表示装置１００から映像記録再生装置２００に送信される（Ｓ２００）。映像記録再生装置２００側においてサムネイル要求信号が受信された場合（Ｓ１００にてＹＥＳ）、コンテンツのサムネイル画像が作成され（Ｓ１０２）、作成されたサムネイル画像がコンテンツの識別情報とともに映像表示装置１００に送信される（Ｓ１０４）。
【００７１】
他にもコンテンツがある場合（Ｓ１０６にてＹＥＳ）、サムネイル画像の作成（Ｓ１０２）と、サムネイル画像およびコンテンツの識別情報の送信（Ｓ１０４）が繰返される。
【００７２】
映像表示装置１００側において、サムネイル画像およびコンテンツ識別情報が受信された場合（Ｓ２０２にてＹＥＳ）、サムネイル画像がサムネイル記憶部１１２に保存され、コンテンツ識別情報が記憶部１１０に保存される（Ｓ２０４）。このとき、サムネイル画像を保存した時刻がサムネイル制御部１１４において記録される（Ｓ２０６）。
【００７３】
他にもコンテンツがある場合（Ｓ２０８にてＹＥＳ）、Ｓ２０２以降の処理が繰返される。たとえば、全ての、または一画面に表示可能な全てのサムネイル画像を受信するまでＳ２０２以降の処理が繰返される。
【００７４】
このようにして受信したサムネイル画像とコンテンツの識別情報とを利用して、コンテンツ選択のためのＧＵＩ画面が作成され、ＧＵＩ画面が表示部１０６に表示される（Ｓ２１０）。
【００７５】
この状態で、ユーザからの操作が無く、サムネイル画像を保存した時刻から所定の時間、たとえば１０分が経過した場合（Ｓ２１２にてＹＥＳ）、コピーネバーのコンテンツに対応する全てのサムネイル画像とコンテンツ選択のためのＧＵＩ画面が削除される（Ｓ２１４）。
【００７６】
表示部１０６に表示されたコンテンツ選択画面によりコンテンツが選択された場合（Ｓ２１６にてＹＥＳ）、コンテンツの再生要求信号が、映像表示装置１００から映像記録再生装置２００に送信される（Ｓ２１８）。
【００７７】
このとき、コンテンツ識別情報からサムネイル画像と元のコンテンツとの対応付けが出来るので、コンテンツ選択画面でサムネイル画像を選択すると、元のコンテンツに対する再生要求信号が送信される。
【００７８】
この場合、サムネイル画像やコンテンツ選択のためのＧＵＩ画面が不要になったといえる。そのため、サムネイル記憶部１１２に保存されているサムネイル画像のうち、コピーネバーのコンテンツに対応する全てのサムネイル画像およびコンテンツ選択のためのＧＵＩ画面が削除される（Ｓ２２０）。
【００７９】
映像記録再生装置２００側において、映像表示装置１００からのコンテンツ再生要求信号が受信された場合（Ｓ１０８にてＹＥＳ）、要求されたコンテンツが映像表示装置１００に送信される（Ｓ１１０）。
【００８０】
映像表示装置１００側において、コンテンツが受信された場合（Ｓ２２２にてＹＥＳ）、コンテンツが表示部１０６に表示される（Ｓ２２４）。これにより、コンテンツがユーザに視聴される。
【００８１】
その後、再生停止時や再生終了時等、再度コンテンツ選択画面が必要になったら、Ｓ１００以降およびＳ２００以降の処理が繰返される。このとき、たとえばコンテンツの途中で再生を停止した場合、図８に示すように、次回コンテンツ選択画面表示時に、最後に停止した場面をサムネイル画像として表示部１０６に表示させるようにしてもよい。この場合、コンテンツの停止した位置情報を記録しておき、記録した位置情報を利用してその位置のサムネイル画像をサムネイル作成部２１２で作成するようにしてもよい。
【００８２】
以上のように、本実施の形態に係る映像表示システムによれば、コンテンツに基づいて作成されたサムネイル画像は、保存された時刻から所定の時間が経過した場合や、コンテンツを再生（視聴）するためにサムネイル画像が選択された場合、削除される。これにより、サムネイル画像の保存という形でのコンテンツのコピーを防止することができる。そのため、コピーネバーのコンテンツであっても、コピー制限が問題となることを抑制して、コンテンツに基づいて作成されたサムネイル画像を表示することができる。
【００８３】
なお、コピー回数に制限の無いコピーフリーのコンテンツに関しては、従来技術のようにしてサムネイルを作成、表示させても良いし、本実施の形態のように、予め定められた条件がみたされた場合に削除するようにしてもよい。
【００８４】
また、サムネイル画像を保存してから所定の時間が経過した時や、コンテンツ再生開始時等でコンテンツ選択画面から抜け出した時に、サムネイル記憶部１１２に保存されているサムネイル画像を即座に削除しないようにしてもよい。
【００８５】
＜第２の実施の形態＞
以下、本発明の第２の実施の形態について説明する。本実施の形態は、サムネイル画像を映像表示装置１００において作成する点で前述の第１の実施の形態と相違する。その他の構造については、前述の第１の実施の形態と同じである。それらについての機能も同じである。したがって、それらについての詳細な説明はここでは繰返さない。
【００８６】
図９を参照して、本実施の形態に係る映像表示システムの映像表示装置１００について説明する。図９に示すように、映像表示装置１００は、サムネイル作成部１１８を含む。サムネイル作成部１１８は外部からサムネイル画像を取得しない。サムネイル作成部１１８は、送受信処理部１０８を経て取得したコンテンツに基づいて、そのコンテンツに対応したサムネイル画像を作成する。
【００８７】
図１０を参照して、本実施の形態に係る映像表示システムにおいて映像記録再生装置２００の中央処理部２０４が実行するプログラムの制御構造について説明する。
【００８８】
Ｓ３００にて、中央処理部２０４は、映像表示装置１００からのサムネイル要求信号を受信したか否かを判別する。映像表示装置１００からのサムネイル要求信号を受信した場合（Ｓ３００にてＹＥＳ）、処理はＳ３０２に移される。もしそうでないと（Ｓ３００にてＮＯ）、処理はＳ３００に戻される。
【００８９】
Ｓ３０２にて、中央処理部２０４は、ディスク装置２１０に記録してあるコンテンツのリストを映像表示装置１００に送信する。コンテンツのリストは、暗号処理部２０６で暗号化されてから送受信処理部２０８を通して映像表示装置１００に送信される。
【００９０】
Ｓ３０４にて、中央処理部２０４は、映像表示装置１００から、コンテンツの先頭部分のデータの再生要求信号を受信したか否かを判別する。コンテンツの先頭部分のデータの再生要求信号を受信した場合（Ｓ３０４にてＹＥＳ）、処理はＳ３０６に移される。もしそうでないと（Ｓ３０４にてＮＯ）、処理はＳ３０４に移される。
【００９１】
Ｓ３０６にて、中央処理部２０４は、コンテンツの先頭部分のデータとコンテンツの識別情報とを、映像表示装置１００に送信する。コンテンツの先頭部分のデータとコンテンツの識別情報とは、暗号処理部２０６で暗号化されてから送受信処理部２０８を通して映像表示装置１００に送信される。このとき、コンテンツの先頭部分のデータは、サイズを縮小したりビットレートを下げて送信したりするようにしても良い。
【００９２】
Ｓ３０８にて、中央処理部２０４は、他にもコンテンツがあるか否かを判別する。他にもコンテンツがある場合（Ｓ３０８にてＹＥＳ）、処理はＳ３０６に戻される。もしそうでないと（Ｓ３０８にてＮＯ）、処理はＳ３１０に移される。なお、コンテンツが複数ある場合においては、コンテンツの先頭部分のデータを複数同時に送信するようにしても良い。また、コンテンツの先頭部分のデータを、サイズを縮小したりビットレートを下げたりするとともに、複数同時に送信するようにしてもよい。
【００９３】
Ｓ３１０にて、中央処理部２０４は、映像表示装置１００からのコンテンツ再生要求信号を受信したか否かを判別する。映像表示装置１００からのコンテンツ再生要求信号を受信した場合（Ｓ３１０にてＹＥＳ）、処理はＳ３１２に移される。もしそうでないと（Ｓ３１０にてＮＯ）、処理はＳ３１０に戻される。
【００９４】
Ｓ３１２にて、中央処理部２０４は、コンテンツを映像表示装置１００に送信する。コンテンツは、暗号処理部２０６で暗号化され、送受信処理部２０８を通して映像表示装置１００に送信される。
【００９５】
図１１および図１２を参照して、本実施の形態に係る映像表示システムにおいて映像表示装置１００の中央処理部１０２が実行するプログラムの制御構造について説明する。
【００９６】
Ｓ４００にて、中央処理部１０２は、たとえばユーザの操作に基づいて、サムネイル要求信号を映像記録再生装置２００に送信する。サムネイル要求信号は、送受信処理部１０８を通して映像記録再生装置２００に送信される。
【００９７】
Ｓ４０２にて、中央処理部１０２は、映像記録再生装置２００が収録コンテンツリストを受信したか否かを判別する。収録コンテンツリストを受信した場合（Ｓ４０２にてＹＥＳ）、処理はＳ４０４に移される。もしそうでないと（Ｓ４０２にてＮＯ）、処理はＳ４０２に戻される。
【００９８】
Ｓ４０４にて、中央処理部１０２は、受信したリストに基づいて、映像記録再生装置２００のディスク装置２０５に記録されているコンテンツの先頭部分のデータの再生要求信号を映像記録再生装置に送信する。
【００９９】
Ｓ４０６にて、中央処理部１０２は、映像記録再生装置２００からコンテンツの先頭部分のデータとコンテンツ識別情報とを受信したか否かを判別する。コンテンツの先頭部分のデータとコンテンツ識別情報とを受信した場合（Ｓ４０６にてＹＥＳ）、処理はＳ４０８に移される。もしそうでないと（Ｓ４０６にてＮＯ）、処理はＳ４０６に戻される。
【０１００】
Ｓ４０８にて、中央処理部１０２は、送受信処理部１０８を通って受信したコンテンツの先頭部分のデータからサムネイル画像を作成し、作成したサムネイル画像を保存するとともに、コンテンツ識別情報を保存する。コンテンツの先頭部分のデータが暗号処理部１１６において復号されてから、サムネイル画像が作成される。コンテンツ識別情報は暗号処理部１１６において復号されてから、記憶部１１０に保存される。
【０１０１】
Ｓ４１０にて、中央処理部１０２は、サムネイル画像を保存した時刻を記録する。サムネイル画像を保存した時刻は、サムネイル制御部１１４において記録される。
【０１０２】
Ｓ４１２にて、中央処理部１０２は、他にもコンテンツがあるか否かを判別する。他にもコンテンツがある場合（Ｓ４１２にてＹＥＳ）、処理はＳ４０６に戻される。もしそうでないと（Ｓ４１２にてＮＯ）、処理はＳ４１４に移される。
【０１０３】
Ｓ４１４にて、中央処理部１０２は、サムネイル記憶部１１２に保存されているサムネイル画像と、記憶部１１０に保存されているコンテンツ識別情報を利用して、コンテンツ選択のためのＧＵＩ画面を作成し、ＧＵＩ画面をコンテンツ選択画面としての表示部１０６に表示する。
【０１０４】
Ｓ４１６にて、中央処理部１０２は、サムネイル画像を保存した時刻から所定の時間が経過したか否かを判別する。サムネイル画像を保存した時刻から所定の時間が経過した場合（Ｓ４１６にてＹＥＳ）、処理はＳ４１８に移される。もしそうでないと（Ｓ４１６にてＮＯ）、処理はＳ４２０に移される。なお、所定の時間は装置やシステムによってあらかじめ適宜に定められた時間である。所定の時間をユーザによって変更できるようにしてもよい。
【０１０５】
Ｓ４１８にて、中央処理部１０２は、コピーネバーのコンテンツに対応する全てのサムネイル画像とコンテンツ選択のためのＧＵＩ画面を削除する。サムネイル画像とＧＵＩ画面の削除は、サムネイル制御部１１４において行なわれる。
【０１０６】
Ｓ４２０にて、中央処理部１０２は、ユーザにより視聴されるコンテンツが選択されたか否かを判別する。ユーザは、前述した図７に示すように、表示部１０６に表示されたコンテンツ選択画面を用いてコンテンツを選択する。なお、コンテンツの選択方法はこれに限らない。
【０１０７】
コンテンツが選択された場合（Ｓ４２０にてＹＥＳ）、処理はＳ４２２に移される。もしそうでないと（Ｓ４２０にてＮＯ）、処理はＳ４１６に移される。Ｓ４２２にて、中央処理部１０２は、選択されたコンテンツの再生要求信号を映像記録再生装置２００に送信する。コンテンツの再生要求信号は、送受信処理部１０８を通って映像記録再生装置２００に送信される。
【０１０８】
Ｓ４２４にて、中央処理部１０２は、サムネイル記憶部１１２に保存されているサムネイル画像のうち、コピーネバーのコンテンツに対応する全てのサムネイル画像およびコンテンツ選択のためのＧＵＩ画面を削除する。サムネイル画像およびＧＵＩ画面の削除は、サムネイル制御部１１４において行なわれる。
【０１０９】
Ｓ４２６にて、中央処理部１０２は、映像記録再生装置２０２からコンテンツを受信したか否かを判別する。コンテンツを受信した場合（Ｓ４２６にてＹＥＳ）、処理はＳ４２８に移される。もしそうでないと（Ｓ４２６にてＮＯ）、処理はＳ４２６に戻される。
【０１１０】
Ｓ４２８にて、中央処理部１０２は、受信したコンテンツを表示部１０６に表示する。コンテンツは、暗号処理部１１６で復号された後、表示部１０６に表示される。
【０１１１】
以上のような構造およびフローチャートに基づく、本実施の形態に係る映像表示システムの動作について説明する。
【０１１２】
ユーザの操作などが行なわれることにより、サムネイル要求信号が映像表示装置１００から映像記録再生装置２００に送信される（Ｓ４００）。映像記録再生装置２００側においてサムネイル要求信号が受信された場合（Ｓ３００にてＹＥＳ）、ディスク装置２１０に記録してあるコンテンツのリストが映像記録再生装置２００から映像表示装置１００に送信される（Ｓ３０２）。
【０１１３】
映像表示装置１００側において、収録コンテンツリストが受信された場合（Ｓ４０２にてＹＥＳ）、受信したリストに基づいて、映像記録再生装置２００のディスク装置２１０に記録されているコンテンツの先頭部分のデータの再生要求信号が、映像表示装置１００から映像記録再生装置２００に送信される（Ｓ４０４）。映像記録再生装置２００側において、コンテンツの先頭部分のデータの再生要求信号が受信された場合（Ｓ３０４にてＹＥＳ）、コンテンツの先頭部分のデータとコンテンツの識別情報とが、映像記録再生装置２００から映像表示装置１００に送信される（Ｓ３０６）。
【０１１４】
他にもコンテンツがある場合（Ｓ３０８にてＹＥＳ）、コンテンツの先頭部分のデータとコンテンツの識別情報との送信（Ｓ３０６）が繰返される。
【０１１５】
映像表示装置１００側において、コンテンツの先頭部分のデータとコンテンツ識別情報とが受信された場合（Ｓ４０６にてＹＥＳ）、コンテンツの先頭部分のデータからサムネイル画像が作成され、作成されたサムネイル画像が保存されるとともに、コンテンツ識別情報が保存される（Ｓ４０８）。このとき、サムネイル画像を保存した時刻がサムネイル制御部１１４において記録される（Ｓ４１０）。
【０１１６】
他にもコンテンツがある場合（Ｓ４１２にてＹＥＳ）、Ｓ４０６以降の処理が繰返される。たとえば、全ての、または一画面に表示可能な全てのサムネイル画像を作成するまでＳ４０６以降の処理が繰返される。
【０１１７】
このようにして得られたサムネイル画像とコンテンツの識別情報とを利用して、コンテンツ選択のためのＧＵＩ画面が作成され、ＧＵＩ画面が表示部１０６に表示される（Ｓ４１４）。この状態で、ユーザからの操作が無く、サムネイル画像を保存した時刻から所定の時間、たとえば１０分が経過した場合（Ｓ４１６にてＹＥＳ）、コピーネバーのコンテンツに対応する全てのサムネイル画像とコンテンツ選択のためのＧＵＩ画面が削除される（Ｓ４１８）。
【０１１８】
表示部１０６に表示されたコンテンツ選択画面によりコンテンツが選択された場合（Ｓ４２０にてＹＥＳ）、コンテンツの再生要求信号が、映像表示装置１００から映像記録再生装置２００に送信される（Ｓ４２２）。
【０１１９】
このとき、コンテンツ識別情報からサムネイル画像と元のコンテンツとの対応付けが出来るので、コンテンツ選択画面でサムネイル画像を選択すると、元のコンテンツに対する再生要求信号が送信される。
【０１２０】
この場合、サムネイル画像やコンテンツ選択のためのＧＵＩ画面が不要になったといえる。そのため、サムネイル記憶部１１２に保存されているサムネイル画像のうち、コピーネバーのコンテンツに対応する全てのサムネイル画像およびコンテンツ選択のためのＧＵＩ画面が削除される（Ｓ４２４）。
【０１２１】
映像記録再生装置２００側において、映像表示装置１００からのコンテンツ再生要求信号が受信された場合（Ｓ３１０にてＹＥＳ）、要求されたコンテンツが映像表示装置１００に送信される（Ｓ３１２）。
【０１２２】
映像表示装置１００側において、コンテンツが受信された場合（Ｓ４２６にてＹＥＳ）、コンテンツが表示部１０６に表示される（Ｓ４２６）。これにより、コンテンツがユーザに視聴される。このように構成しても、前述の第１の実施の形態と同様の効果を得ることができる。
【０１２３】
＜第３の実施の形態＞
以下、本発明の第３の実施の形態について説明する。本実施の形態においては、映像表示装置１００の電源をオフする際に、サムネイル画像を削除する点で、前述の第１の実施の形態および第２の実施の形態と相違する。
【０１２４】
その他の構造については、前述の第１の実施の形態および第２の実施の形態と同じである。それらについての機能も同じである。したがって、それらについての詳細な説明はここでは繰返さない。
【０１２５】
図１３を参照して、本実施の形態に係る映像表示システムの映像表示装置１００について説明する。図１３に示すように、本実施の映像表示装置１００の表示部１０６には、電源オフを指示するための電源オフボタン１２０が表示される。
【０１２６】
電源オフボタン１２０は、一般的に普及しているパーソナルコンピュータの画面上に表示されるものと同様のものである。ユーザは、電源オフボタン１２０をリモコンやマウス等でクリックすることで、映像表示装置１００の電源のオフを指示できる。なお、電源のオフを指示する方法はこれに限られず、その他、キーボードの押下や機械的なスイッチの操作で電源のオフを指示するようにしても構わない。
【０１２７】
図１４を参照して、本実施の形態に係る映像表示システムにおける映像表示装置１００の中央処理部１０２が実行するプログラムの制御構造について説明する。
【０１２８】
Ｓ５００にて、中央処理部１０２は、電源オフボタンが操作されたか否かを判別する。電源オフボタンが操作された場合（Ｓ５００にてＹＥＳ）、処理はＳ５０２に移される。もしそうでないと（Ｓ５００にてＮＯ）、この処理は終了する。
【０１２９】
Ｓ５０２にて、中央処理部１０２は、電源オフの指示を検出する。Ｓ５０４にて、中央処理部１０２は、サムネイル記憶部１１４に保存されているサムネイル画像を全て削除する。Ｓ５０６にて、中央処理部１０２は、映像表示装置１００の終了処理を実行する。
【０１３０】
以上のような構造およびフローチャートに基づく、本実施の形態に係る映像表示システムの動作について説明する。
【０１３１】
ユーザにより電源オフボタンが操作された場合（Ｓ５００にてＹＥＳ）、電源オフの指示が検出され（Ｓ５０２）、サムネイル記憶部１１４に保存されているサムネイル画像が全て削除される（Ｓ５０４）。その後、映像表示装置１００の終了処理が実行される（Ｓ５０６）。
【０１３２】
これにより、サムネイル記憶部１１４が不揮発性メモリで構成される場合であっても、サムネイル画像を確実の削除することができる。そのため、サムネイル画像の保存という形でのコンテンツのコピーを防止することができる。その結果、コピーネバーのコンテンツであっても、コピー制限が問題となることを抑制して、コンテンツに基づいて作成されたサムネイルを表示することができる。
【０１３３】
＜第４の実施の形態＞
以下、本発明の第４の実施の形態について説明する。本実施の形態は、コピー許可回数が、装置やシステムによって予め定められた回数より大きいコンテンツのサムネイル画像を映像表示装置１００の記憶部１１０に保存する点で、前述の第１の実施の形態と相違する。その他の構造については、前述の第１の実施の形態と同じである。それらについての機能も同じである。したがって、それらについての詳細な説明はここでは繰返さない。
【０１３４】
図１５を参照して、本実施の形態に係る映像表示システムにおいて映像記録再生装置２００の中央処理部２０４が実行するプログラムの制御構造について説明する。
【０１３５】
Ｓ６００にて、中央処理部２０４は、映像表示装置１００からのサムネイル要求信号を受信したか否かを判別する。映像表示装置１００からのサムネイル要求信号を受信した場合（Ｓ６００にてＹＥＳ）、処理はＳ６０２に移される。もしそうでないと（Ｓ６００にてＮＯ）、処理はＳ６００に戻される。
【０１３６】
Ｓ６０２にて、中央処理部２０４は、ディスク装置２１０に記録してあるコンテンツのうち、記憶部１１０に保存されているサムネイル画像に対応するコンテンツを除くコンテンツのサムネイル画像を作成する。サムネイル画像は、サムネイル作成部２１２において作成される。
【０１３７】
Ｓ６０４にて、中央処理部２０４は、作成したサムネイル画像を、コンテンツの識別情報とともに映像表示装置１００に送信する。サムネイル画像およびコンテンツの識別情報は、暗号処理部２０６で暗号化されてから送受信処理部２０８を通して映像表示装置１００に送信される。
【０１３８】
Ｓ６０６にて、中央処理部２０４は、記憶部１１０に保存されているサムネイル画像に対応するコンテンツを除いて、他にもコンテンツがあるか否かを判別する。他にもコンテンツがある場合（Ｓ６０６にてＹＥＳ）、処理はＳ６０２に戻される。もしそうでないと（Ｓ６０６にてＮＯ）、処理はＳ６０８に移される。なお、コンテンツが複数ある場合においては、サムネイル画像を１回ずつ送信するようにしたり、複数同時に送信するようにしたりしても良い。
【０１３９】
Ｓ６０８にて、中央処理部２０４は、映像表示装置１００からのコンテンツ再生要求信号を受信したか否かを判別する。映像表示装置１００からのコンテンツ再生要求信号を受信した場合（Ｓ６０８にてＹＥＳ）、処理はＳ６００に移される。もしそうでないと（Ｓ６０８にＮＯ）、処理はＳ６０８に戻される。
【０１４０】
Ｓ６１０にて、中央処理部２０４は、コンテンツを映像表示装置１００に送信する。コンテンツは、暗号処理部２０６で暗号化され、送受信処理部２０８を通して映像表示装置１００に送信される。
【０１４１】
図１６および図１７を参照して、本実施の形態に係る映像表示システムにおいて映像表示装置１００の中央処理部１０２が実行するプログラムの制御構造について説明する。
【０１４２】
Ｓ７００にて、中央処理部１０２は、たとえばユーザの操作に基づいて、サムネイル要求信号を映像記録再生装置２００に送信する。サムネイル要求信号は、送受信処理部１０８を通して映像記録再生装置２００に送信される。
【０１４３】
Ｓ７０２にて、中央処理部１０２は、サムネイル画像が記憶部１１０に保存されているコンテンツリストを映像記録再生装置２００に送信する。
【０１４４】
Ｓ７０４にて、中央処理部１０２は、映像記録再生装置２００からサムネイル画像およびコンテンツ識別情報を受信したか否かを判別する。サムネイル画像およびコンテンツ識別情報を受信した場合（Ｓ７０４にてＹＥＳ）、処理はＳ７０６に移される。もしそうでないと（Ｓ７０４にてＮＯ）、処理はＳ７１０に移される。
【０１４５】
Ｓ７０６にて、中央処理部１０２は、サムネイル画像を保存するとともに、コンテンツ識別情報を保存する。サムネイル画像は暗号処理部１１６において復号されてから、サムネイル記憶部１１２に保存される。コンテンツ識別情報は暗号処理部１１６において復号されてから、記憶部１１０に保存される。
【０１４６】
Ｓ７０８にて、中央処理部１０２は、サムネイル画像を保存した時刻を記録する。サムネイル画像を保存した時刻は、サムネイル制御部１１４において記録される。
【０１４７】
Ｓ７１０にて、中央処理部１０２は、記憶部１１０に保存されているサムネイル画像に対応するコンテンツを除いて、他にもコンテンツがあるか否かを判別する。他にもコンテンツがある場合（Ｓ７１０にてＹＥＳ）、処理はＳ７０２に移される。もしそうでないと（Ｓ７１０にてＮＯ）、処理はＳ７１２に移される。
【０１４８】
Ｓ７１２にて、中央処理部１０２は、サムネイル記憶部１１２に保存されているサムネイル画像、記憶部１１０に保存されているサムネイル画像および記憶部１１０に保存されているコンテンツ識別情報を利用して、コンテンツ選択のためのＧＵＩ画面を作成し、ＧＵＩ画面をコンテンツ選択画面としての表示部１０６に表示する。
【０１４９】
Ｓ７１４にて、中央処理部１０２は、サムネイル画像をサムネイル記憶部１１２に保存した時刻から所定の時間が経過したか否かを判別する。サムネイル画像をサムネイル記憶部１１２に保存した時刻から所定の時間が経過した場合（Ｓ７１４にてＹＥＳ）、処理はＳ７１６に移される。もしそうでないと（Ｓ７１４にてＮＯ）、処理はＳ７１８に移される。なお、所定の時間は装置やシステムによって予め適宜に定められた時間である。所定の時間をユーザによって変更できるようにしてもよい。
【０１５０】
Ｓ７１６にて、中央処理部１０２は、コンテンツのコピー許可回数としきい値とを比較する。コンテンツが複数ある場合は、各コンテンツのコピー許可回数としきい値とが比較される。ここで、しきい値は、装置やシステムによって予め定められる回数である。なお、ユーザによりしきい値を変更できるようにしてもよい。
【０１５１】
Ｓ７１８にて、中央処理部１０２は、コピー許可回数がしきい値以上であるコンテンツに対応するサムネイル画像を記憶部１１０に保存するとともに、コンテンツ選択のためのＧＵＩ画面およびコピー許可回数がしきい値より少ないコンテンツに対応するサムネイル画像を削除する。ＧＵＩ画面とサムネイル画像との削除は、サムネイル制御部１１４において行なわれる。
【０１５２】
Ｓ７２０にて、中央処理部１０２は、記憶部１１０に保存されたサムネイル画像に対応するコンテンツのコピー許可回数を「１」だけ少なくする。
【０１５３】
Ｓ７２２にて、中央処理部１０２は、ユーザにより視聴されるコンテンツが選択されたか否かを判別する。コンテンツが選択された場合（Ｓ７２２にてＹＥＳ）、処理はＳ７２４に移される。もしそうでないと（Ｓ７２２にてＮＯ）、処理はＳ７１４に戻される。
【０１５４】
Ｓ７２４にて、中央処理部１０２は、選択されたコンテンツの再生要求信号を映像記録再生装置２００に送信する。コンテンツの再生要求信号は、送受信処理部１０８を通って映像記録再生装置２００に送信される。
【０１５５】
Ｓ７２６にて、中央処理部１０２は、コンテンツのコピー許可回数としきい値とを比較する。コンテンツが複数ある場合は、各コンテンツのコピー許可回数としきい値とが比較される。ここで、しきい値は、装置やシステムによって予め定められる回数である。なお、ユーザによりしきい値を変更できるようにしてもよい。
【０１５６】
Ｓ７２８にて、中央処理部１０２は、コピー許可回数がしきい値以上であるコンテンツに対応するサムネイル画像を記憶部１１０に保存するとともに、コンテンツ選択のためのＧＵＩ画面およびコピー許可回数がしきい値より少ないコンテンツに対応するサムネイル画像を削除する。ＧＵＩ画面とサムネイル画像との削除は、サムネイル制御部１１４において行なわれる。
【０１５７】
Ｓ７３０にて、中央処理部１０２は、記憶部１１０に保存されたサムネイル画像に対応するコンテンツのコピー許可回数を「１」だけ少なくする。
【０１５８】
Ｓ７３２にて、中央処理部１０２は、映像記録再生装置２０２からコンテンツを受信したか否かを判別する。コンテンツを受信した場合（Ｓ７２４にてＹＥＳ）、処理はＳ７２６に移される。もしそうでないと（Ｓ７２４にてＮＯ）、処理はＳ７２４に戻される。
【０１５９】
Ｓ７３４にて、中央処理部１０２は、受信したコンテンツを表示部１０６に表示する。コンテンツは、暗号処理部１１６で復号された後、表示部１０６に表示される。
【０１６０】
以上のような構造およびフローチャートに基づく、本実施の形態に係る映像表示システムの動作について説明する。
【０１６１】
ユーザの操作などが行なわれることにより、サムネイル要求信号が映像表示装置１００から映像記録再生装置２００に送信される（Ｓ７００）。また、後述するように、コピー許可回数がしきい値以上のコンテンツのサムネイル画像は記憶部１１０に保存されることから、サムネイル画像が記憶部１１０に保存されているコンテンツリストが映像記録再生装置２００に送信される（Ｓ７０２）。
【０１６２】
映像記録再生装置２００側においてサムネイル要求信号が受信された場合（Ｓ６００にてＹＥＳ）、記憶部１１０に保存されているサムネイル画像に対応するコンテンツを除くコンテンツのサムネイル画像が作成される（Ｓ６０２）。作成されたサムネイル画像は、コンテンツの識別情報とともに映像表示装置１００に送信される（Ｓ６０４）。
【０１６３】
記憶部１１０に保存されているサムネイル画像に対応するコンテンツを除いて、他にもコンテンツがある場合（Ｓ６０６にてＹＥＳ）、サムネイル画像の作成（Ｓ６０２）と、サムネイル画像およびコンテンツの識別情報の送信（Ｓ６０４）が繰返される。
【０１６４】
映像表示装置１００側において、サムネイル画像およびコンテンツ識別情報が受信された場合（Ｓ７０４にてＹＥＳ）、サムネイル画像がサムネイル記憶部１１２に保存され、コンテンツ識別情報が記憶部１１０に保存される（Ｓ７０６）。このとき、サムネイル画像を保存した時刻がサムネイル制御部１１４において記録される（Ｓ７０８）。
【０１６５】
記憶部１１０に保存されているサムネイル画像に対応するコンテンツを除いて、他にもコンテンツがある場合（Ｓ７１０にてＹＥＳ）、Ｓ７０２以降の処理が繰返される。たとえば、全ての、または一画面に表示可能な全てのサムネイル画像を受信するまでＳ７０２以降の処理が繰返される。
【０１６６】
このようにして受信したサムネイル画像、記憶部１１０に保存されているサムネイル画像およびコンテンツの識別情報とを利用して、コンテンツ選択のためのＧＵＩ画面が作成され、ＧＵＩ画面が表示部１０６に表示される（Ｓ７１２）。
【０１６７】
この状態で、ユーザからの操作が無く、サムネイル画像を保存した時刻から所定の時間、たとえば１０分が経過した場合（Ｓ７１４にてＹＥＳ）、コンテンツのコピー許可回数としきい値とが比較される（Ｓ７１６）。
【０１６８】
コピー許可回数がしきい値以上であるコンテンツに対応するサムネイル画像は記憶部１１０に保存される（Ｓ７１８）。一方、コンテンツ選択のためのＧＵＩ画面およびコピー許可回数がしきい値より少ないコンテンツに対応するサムネイル画像が削除される（Ｓ７１８）。記憶部１１０に保存されたサムネイル画像に対応するコンテンツのコピー許可回数は、「１」だけ少なくされる（Ｓ７２０）。
【０１６９】
表示部１０６に表示されたコンテンツ選択画面によりコンテンツが選択された場合（Ｓ７２２にてＹＥＳ）、コンテンツの再生要求信号が、映像表示装置１００から映像記録再生装置２００に送信される（Ｓ７２４）。
【０１７０】
このとき、コンテンツ識別情報からサムネイル画像と元のコンテンツとの対応付けが出来るので、コンテンツ選択画面でサムネイル画像を選択すると、元のコンテンツに対する再生要求信号が送信される。
【０１７１】
この場合も、コンテンツのコピー許可回数としきい値とが比較される（Ｓ７２６）。コピー許可回数がしきい値以上であるコンテンツに対応するサムネイル画像は記憶部１１０に保存される（Ｓ７２８）。一方、コンテンツ選択のためのＧＵＩ画面およびコピー許可回数がしきい値より少ないコンテンツに対応するサムネイル画像が削除される（Ｓ７２８）。記憶部１１０に保存されたサムネイル画像に対応するコンテンツのコピー許可回数は、「１」だけ少なくされる（Ｓ７３０）。
【０１７２】
映像記録再生装置２００側において、映像表示装置１００からのコンテンツ再生要求信号が受信された場合（Ｓ６０８にてＹＥＳ）、要求されたコンテンツが映像表示装置１００に送信される（Ｓ６１０）。
【０１７３】
映像表示装置１００側において、コンテンツが受信された場合（Ｓ７２４にてＹＥＳ）、コンテンツが表示部１０６に表示される（Ｓ７２６）。これにより、コンテンツがユーザに視聴される。このようにしても、前述の第１の実施の形態と同様の効果を奏することができる。
【０１７４】
＜第５の実施の形態＞
以下、本発明の第５の実施の形態について説明する。本実施の形態は、コピー許可回数が、装置やシステムによって予め定められた回数より大きいコンテンツのサムネイル画像を映像表示装置１００の記憶部１１０に保存する点で、前述の第２の実施の形態と相違する。その他の構造については、前述の第２の実施の形態と同じである。それらについての機能も同じである。したがって、それらについての詳細な説明はここでは繰返さない。
【０１７５】
図１８を参照して、本実施の形態に係る映像表示システムにおいて映像記録再生装置２００の中央処理部２０４が実行するプログラムの制御構造について説明する。
【０１７６】
Ｓ８００にて、中央処理部２０４は、映像表示装置１００からのサムネイル要求信号を受信したか否かを判別する。映像表示装置１００からのサムネイル要求信号を受信した場合（Ｓ８００にてＹＥＳ）、処理はＳ８０２に移される。もしそうでないと（Ｓ８００にてＮＯ）、処理はＳ８００に戻される。
【０１７７】
Ｓ８０２にて、中央処理部２０４は、ディスク装置２１０に記録してあるコンテンツのリストを映像表示装置１００に送信する。コンテンツのリストは、暗号処理部２０６で暗号化されてから送受信処理部２０８を通して映像表示装置１００に送信される。
【０１７８】
Ｓ８０４にて、中央処理部２０４は、映像表示装置１００から、コンテンツの先頭部分のデータの再生要求信号を受信したか否かを判別する。コンテンツの先頭部分のデータの再生要求信号を受信した場合（Ｓ８０４にてＹＥＳ）、処理はＳ８０６に移される。もしそうでないと（Ｓ８０４にてＮＯ）、処理はＳ８０４に移される。
【０１７９】
Ｓ８０６にて、中央処理部２０４は、コンテンツの先頭部分のデータとコンテンツの識別情報とを、映像表示装置１００に送信する。コンテンツの先頭部分のデータとコンテンツの識別情報とは、暗号処理部２０６で暗号化されてから送受信処理部２０８を通して映像表示装置１００に送信される。このとき、コンテンツの先頭部分のデータは、サイズを縮小したりビットレートを下げて送信したりするようにしても良い。
【０１８０】
Ｓ８０８にて、中央処理部２０４は、他にもコンテンツがあるか否かを判別する。他にもコンテンツがある場合（Ｓ８０８にてＹＥＳ）、処理はＳ８０６に戻される。もしそうでないと（Ｓ８０８にてＮＯ）、処理はＳ８１０に移される。なお、コンテンツが複数ある場合においては、コンテンツの先頭部分のデータを複数同時に送信するようにしても良い。また、コンテンツの先頭部分のデータを、サイズを縮小したりビットレートを下げたりするとともに、複数同時に送信するようにしてもよい。
【０１８１】
Ｓ８１０にて、中央処理部２０４は、映像表示装置１００からのコンテンツ再生要求信号を受信したか否かを判別する。映像表示装置１００からのコンテンツ再生要求信号を受信した場合（Ｓ８１０にてＹＥＳ）、処理はＳ８１２に移される。もしそうでないと（Ｓ８１０にてＮＯ）、処理はＳ８１０に戻される。
【０１８２】
Ｓ８１２にて、中央処理部２０４は、コンテンツを映像表示装置１００に送信する。コンテンツは、暗号処理部２０６で暗号化され、送受信処理部２０８を通して映像表示装置１００に送信される。
【０１８３】
図１９および図２０を参照して、本実施の形態に係る映像表示システムにおいて映像表示装置１００の中央処理部１０２が実行するプログラムの制御構造について説明する。
【０１８４】
Ｓ９００にて、中央処理部１０２は、たとえばユーザの操作に基づいて、サムネイル要求信号を映像記録再生装置２００に送信する。サムネイル要求信号は、送受信処理部１０８を通して映像記録再生装置２００に送信される。
【０１８５】
Ｓ９０２にて、中央処理部１０２は、映像記録再生装置２００が収録コンテンツリストを受信したか否かを判別する。収録コンテンツリストを受信した場合（Ｓ９０２にてＹＥＳ）、処理はＳ９０４に移される。もしそうでないと（Ｓ９０２にてＮＯ）、処理はＳ９０２に戻される。
【０１８６】
Ｓ９０４にて、中央処理部１０２は、受信したリストに基づいて、映像記録再生装置２００のディスク装置２０５に記録されているコンテンツのうち、記憶部１１０に保存されているサムネイル画像に対応するコンテンツを除くコンテンツの先頭部分のデータの再生要求信号を映像記録再生装置に送信する。
【０１８７】
Ｓ９０６にて、中央処理部１０２は、映像記録再生装置２００から記憶部１１０に保存されているサムネイル画像に対応するコンテンツを除くコンテンツの先頭部分のデータとコンテンツ識別情報とを受信したか否かを判別する。コンテンツの先頭部分のデータとコンテンツ識別情報とを受信した場合（Ｓ９０６にてＹＥＳ）、処理はＳ９０８に移される。もしそうでないと（Ｓ９０６にてＮＯ）、処理はＳ９０６に戻される。
【０１８８】
Ｓ９０８にて、中央処理部１０２は、送受信処理部１０８を通って受信したコンテンツの先頭部分のデータからサムネイル画像を作成し、作成したサムネイル画像を保存するとともに、コンテンツ識別情報を保存する。コンテンツの先頭部分のデータが暗号処理部１１６において復号されてから、サムネイル画像が作成される。コンテンツ識別情報は暗号処理部１１６において復号されてから、記憶部１１０に保存される。
【０１８９】
Ｓ９１０にて、中央処理部１０２は、サムネイル画像を保存した時刻を記録する。サムネイル画像を保存した時刻は、サムネイル制御部１１４において記録される。
【０１９０】
Ｓ９１２にて、中央処理部１０２は、記憶部１１０に保存されているサムネイル画像に対応するコンテンツを除いて、他にもコンテンツがあるか否かを判別する。他にもコンテンツがある場合（Ｓ９１２にてＹＥＳ）、処理はＳ９０６に戻される。もしそうでないと（Ｓ９１２にてＮＯ）、処理はＳ９１４に移される。
【０１９１】
Ｓ９１４にて、中央処理部１０２は、サムネイル記憶部１１２に保存されているサムネイル画像、記憶部１１０に保存されているサムネイル画像および記憶部１１０に保存されているコンテンツ識別情報を利用して、コンテンツ選択のためのＧＵＩ画面を作成し、ＧＵＩ画面をコンテンツ選択画面としての表示部１０６に表示する。
【０１９２】
Ｓ９１６にて、中央処理部１０２は、サムネイル記憶部１１２にサムネイル画像を保存した時刻から所定の時間が経過したか否かを判別する。サムネイル画像を保存した時刻から所定の時間が経過した場合（Ｓ９１６にてＹＥＳ）、処理はＳ９１８に移される。もしそうでないと（Ｓ９１６にてＮＯ）、処理はＳ９２０に移される。なお、所定の時間は装置やシステムによってあらかじめ適宜に定められた時間である。所定の時間をユーザによって変更できるようにしてもよい。
【０１９３】
Ｓ９１８にて、中央処理部１０２は、コンテンツのコピー許可回数としきい値とを比較する。コンテンツが複数ある場合は、各コンテンツのコピー許可回数としきい値とが比較される。ここで、しきい値は、装置やシステムによって予め定められる回数である。なお、ユーザによりしきい値を変更できるようにしてもよい。
【０１９４】
Ｓ９２０にて、中央処理部１０２は、コピー許可回数がしきい値以上であるコンテンツに対応するサムネイル画像を記憶部１１０に保存するとともに、コンテンツ選択のためのＧＵＩ画面およびコピー許可回数がしきい値より少ないコンテンツに対応するサムネイル画像を削除する。ＧＵＩ画面とサムネイル画像との削除は、サムネイル制御部１１４において行なわれる。
【０１９５】
Ｓ９２２にて、中央処理部１０２は、記憶部１１０に保存されたサムネイル画像に対応するコンテンツのコピー許可回数を「１」だけ少なくする。
【０１９６】
Ｓ９２４にて、中央処理部１０２は、ユーザにより視聴されるコンテンツが選択されたか否かを判別する。ユーザは、前述した図７に示すように、表示部１０６に表示されたコンテンツ選択画面を用いてコンテンツを選択する。なお、コンテンツの選択方法はこれに限らない。
【０１９７】
コンテンツが選択された場合（Ｓ９２４にてＹＥＳ）、処理はＳ９２６に移される。もしそうでないと（Ｓ９２４にてＮＯ）、処理はＳ９１６に戻される。Ｓ９２６にて、中央処理部１０２は、選択されたコンテンツの再生要求信号を映像記録再生装置２００に送信する。コンテンツの再生要求信号は、送受信処理部１０８を通って映像記録再生装置２００に送信される。
【０１９８】
Ｓ９２８にて、中央処理部１０２は、コンテンツのコピー許可回数としきい値とを比較する。コンテンツが複数ある場合は、各コンテンツのコピー許可回数としきい値とが比較される。ここで、しきい値は、装置やシステムによって予め定められる回数である。なお、ユーザによりしきい値を変更できるようにしてもよい。
【０１９９】
Ｓ９３０にて、中央処理部１０２は、コピー許可回数がしきい値以上であるコンテンツに対応するサムネイル画像を記憶部１１０に保存するとともに、コンテンツ選択のためのＧＵＩ画面およびコピー許可回数がしきい値より少ないコンテンツに対応するサムネイル画像を削除する。ＧＵＩ画面とサムネイル画像との削除は、サムネイル制御部１１４において行なわれる。
【０２００】
Ｓ９３２にて、中央処理部１０２は、記憶部１１０に保存されたサムネイル画像に対応するコンテンツのコピー許可回数を「１」だけ少なくする。
【０２０１】
Ｓ９３４にて、中央処理部１０２は、映像記録再生装置２０２からコンテンツを受信したか否かを判別する。コンテンツを受信した場合（Ｓ９３４にてＹＥＳ）、処理はＳ９３６に移される。もしそうでないと（Ｓ９３４にてＮＯ）、処理はＳ９３４に戻される。
【０２０２】
Ｓ９３６にて、中央処理部１０２は、受信したコンテンツを表示部１０６に表示する。コンテンツは、暗号処理部１１６で復号された後、表示部１０６に表示される。
【０２０３】
以上のような構造およびフローチャートに基づく、本実施の形態に係る映像表示システムの動作について説明する。
【０２０４】
ユーザの操作などが行なわれることにより、サムネイル要求信号が映像表示装置１００から映像記録再生装置２００に送信される（Ｓ９００）。映像記録再生装置２００側においてサムネイル要求信号が受信された場合（Ｓ８００にてＹＥＳ）、ディスク装置２１０に記録してあるコンテンツのリストが映像記録再生装置２００から映像表示装置１００に送信される（Ｓ８０２）。
【０２０５】
映像表示装置１００側において、収録コンテンツリストが受信された場合（Ｓ９０２にてＹＥＳ）、受信したリストに基づいて、映像記録再生装置２００のディスク装置２１０に記録されているコンテンツのうち、記憶部１１０に保存されているサムネイル画像に対応するコンテンツを除くコンテンツの先頭部分のデータの再生要求信号が、映像表示装置１００から映像記録再生装置２００に送信される（Ｓ９０４）。映像記録再生装置２００側において、コンテンツの先頭部分のデータの再生要求信号が受信された場合（Ｓ８０４にてＹＥＳ）、コンテンツの先頭部分のデータとコンテンツの識別情報とが、映像記録再生装置２００から映像表示装置１００に送信される（Ｓ８０６）。
【０２０６】
記憶部１１０に保存されているサムネイル画像に対応するコンテンツを除いて、他にもコンテンツがある場合（Ｓ８０８にてＹＥＳ）、コンテンツの先頭部分のデータとコンテンツの識別情報との送信（Ｓ８０６）が繰返される。
【０２０７】
映像表示装置１００側において、コンテンツの先頭部分のデータとコンテンツ識別情報とが受信された場合（Ｓ９０６にてＹＥＳ）、コンテンツの先頭部分のデータからサムネイル画像が作成され、作成されたサムネイル画像が保存されるとともに、コンテンツ識別情報が保存される（Ｓ９０８）。このとき、サムネイル画像を保存した時刻がサムネイル制御部１１４において記録される（Ｓ９１０）。
【０２０８】
記憶部１１０に保存されているサムネイル画像に対応するコンテンツを除いて、他にもコンテンツがある場合（Ｓ９１２にてＹＥＳ）、Ｓ９０６以降の処理が繰返される。たとえば、全ての、または一画面に表示可能な全てのサムネイル画像を作成するまでＳ９０６以降の処理が繰返される。
【０２０９】
このようにして得られたサムネイル画像、記憶部１１０に保存されているサムネイル画像およびコンテンツの識別情報を利用して、コンテンツ選択のためのＧＵＩ画面が作成され、ＧＵＩ画面が表示部１０６に表示される（Ｓ９１４）。この状態で、ユーザからの操作が無く、サムネイル画像を保存した時刻から所定の時間、たとえば１０分が経過した場合（Ｓ９１６にてＹＥＳ）、コンテンツのコピー許可回数としきい値とが比較される（Ｓ９１８）。
【０２１０】
コピー許可回数がしきい値以上であるコンテンツに対応するサムネイル画像は記憶部１１０に保存される（Ｓ９２０）。一方、コンテンツ選択のためのＧＵＩ画面およびコピー許可回数がしきい値より少ないコンテンツに対応するサムネイル画像が削除される（Ｓ９２０）。記憶部１１０に保存されたサムネイル画像に対応するコンテンツのコピー許可回数は、「１」だけ少なくされる（Ｓ９２２）。
【０２１１】
表示部１０６に表示されたコンテンツ選択画面によりコンテンツが選択された場合（Ｓ９２４にてＹＥＳ）、コンテンツの再生要求信号が、映像表示装置１００から映像記録再生装置２００に送信される（Ｓ９２６）。
【０２１２】
このとき、コンテンツ識別情報からサムネイル画像と元のコンテンツとの対応付けが出来るので、コンテンツ選択画面でサムネイル画像を選択すると、元のコンテンツに対する再生要求信号が送信される。
【０２１３】
この場合も、コンテンツのコピー許可回数としきい値とが比較される（Ｓ９２８）。コピー許可回数がしきい値以上であるコンテンツに対応するサムネイル画像は記憶部１１０に保存される（Ｓ９３０）。一方、コンテンツ選択のためのＧＵＩ画面およびコピー許可回数がしきい値より少ないコンテンツに対応するサムネイル画像が削除される（Ｓ９３０）。記憶部１１０に保存されたサムネイル画像に対応するコンテンツのコピー許可回数は、「１」だけ少なくされる（Ｓ９３２）。
【０２１４】
映像記録再生装置２００側において、映像表示装置１００からのコンテンツ再生要求信号が受信された場合（Ｓ８１０にてＹＥＳ）、要求されたコンテンツが映像表示装置１００に送信される（Ｓ８１２）。
【０２１５】
映像表示装置１００側において、コンテンツが受信された場合（Ｓ９３４にてＹＥＳ）、コンテンツが表示部１０６に表示される（Ｓ９３６）。これにより、コンテンツがユーザに視聴される。このように構成しても、前述の第２の実施の形態と同様の効果を得ることができる。
【０２１６】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２１７】
【図１】本発明の第１の実施の形態に係る映像表示システムにおける映像表示装置を示す制御ブロック図（その１）である。
【図２】本発明の第１の実施の形態に係る映像表示システムにおける映像表示装置を示す制御ブロック図（その２）である。
【図３】本発明の第１の実施の形態に係る映像表示システムを示す制御ブロック図である。
【図４】本発明の第１の実施の形態に係る映像表示システムにおける映像記録再生装置の中央処理部が実行するプログラムの制御構造を示すフローチャートである。
【図５】本発明の第１の実施の形態に係る映像表示システムにおける映像表示装置の中央処理部が実行するプログラムの制御構造を示すフローチャート（その１）である。
【図６】本発明の第１の実施の形態に係る映像表示システムにおける映像表示装置の中央処理部が実行するプログラムの制御構造を示すフローチャート（その２）である。
【図７】コンテンツ選択画面を示す図である。
【図８】コンテンツの再生を中断した場合におけるサムネイルを示す図である。
【図９】本発明の第２の実施の形態に係る映像表示システムにおける映像表示装置を示す制御ブロック図である。
【図１０】本発明の第２の実施の形態に係る映像表示システムにおける映像記録再生装置の中央処理部が実行するプログラムの制御構造を示すフローチャートである。
【図１１】本発明の第２の実施の形態に係る映像表示システムにおける映像表示装置の中央処理部が実行するプログラムの制御構造を示すフローチャート（その１）である。
【図１２】本発明の第２の実施の形態に係る映像表示システムにおける映像表示装置の中央処理部が実行するプログラムの制御構造を示すフローチャート（その２）である。
【図１３】本発明の第３の実施の形態に係る映像表示システムにおける映像表示装置を示す制御ブロック図である。
【図１４】本発明の第３の実施の形態に係る映像表示システムにおける映像表示装置の中央処理部が実行するプログラムの制御構造を示すフローチャートである。
【図１５】本発明の第４の実施の形態に係る映像表示システムにおける映像記録再生装置の中央処理部が実行するプログラムの制御構造を示すフローチャートである。
【図１６】本発明の第４の実施の形態に係る映像表示システムにおける映像表示装置の中央処理部が実行するプログラムの制御構造を示すフローチャート（その１）である。
【図１７】本発明の第４の実施の形態に係る映像表示システムにおける映像表示装置の中央処理部が実行するプログラムの制御構造を示すフローチャート（その２）である。
【図１８】本発明の第５の実施の形態に係る映像表示システムにおける映像記録再生装置の中央処理部が実行するプログラムの制御構造を示すフローチャートである。
【図１９】本発明の第５の実施の形態に係る映像表示システムにおける映像表示装置の中央処理部が実行するプログラムの制御構造を示すフローチャート（その１）である。
【図２０】本発明の第５の実施の形態に係る映像表示システムにおける映像表示装置の中央処理部が実行するプログラムの制御構造を示すフローチャート（その２）である。
【図２１】従来のコンテンツのコピーの概念を示す図である。
【符号の説明】
【０２１８】
１００  映像表示装置、１０２  中央処理部、１０４  表示用メモリ、１０６  表示部、１０８  送受信処理部、１１０  表示部、１１０  記憶部、１１２  サムネイル記憶部、１１４  サムネイル制御部、１１６  暗号処理部、１１８  サムネイル作成部、１２０  電源オフボタン、２００  映像記録再生装置、２０２  録画処理部、２０４  中央処理部、２０６  暗号処理部、２０８  送受信処理部、２１０  ディスク装置、２１２  サムネイル作成部。
【図１】
2007020147.tif 000003
【図２】
2007020147.tif 000004
【図３】
2007020147.tif 000005
【図４】
2007020147.tif 000006
【図５】
2007020147.tif 000007
【図６】
2007020147.tif 000008
【図７】
2007020147.tif 000009
【図８】
2007020147.tif 000010
【図９】
2007020147.tif 000011
【図１０】
2007020147.tif 000012
【図１１】
2007020147.tif 000013
【図１２】
2007020147.tif 000014
【図１３】
2007020147.tif 000015
【図１４】
2007020147.tif 000016
【図１５】
2007020147.tif 000017
【図１６】
2007020147.tif 000018
【図１７】
2007020147.tif 000019
【図１８】
2007020147.tif 000020
【図１９】
2007020147.tif 000021
【図２０】
2007020147.tif 000022
【図２１】
2007020147.tif 000023